(57)【要約】【課題】  主な目的は、適切な通信を行うことができ、副次的な目的は、ゲートウェイ装置が簡単に相手先情報を取得することができ、さらに副次的な目的は、新たな制御を用いずにアナログ通信端末装置がゲートウェイ装置から相手先情報を受信することができる通信システム、それに用いるゲートウェイ装置、及びアナログ通信端末装置を提供する。【解決手段】  ゲートウェイ装置ＧＷ２は、相手先情報をデータモデムにより送信すると、アナログ電話機ＴＬ２はその相手先情報を解析し、例えば相手先が電話機であるか、ファクシミリであるか、あるいはＰＣであるか等を判断し、アナログ電話機ＴＬ２はその相手先情報を解析し、例えば相手先が電話機かファクシミリかＰＣか等を判断するので、適切な通信を行うことができる。【選択図】  図１
2005086636.tif 000002
【特許請求の範囲】
【請求項１】
アナログ公衆回線網を回線として利用するアナログ通信端末装置を、ゲートウェイ装置を介してＩＰ網へ接続する通信システムにおいて、前記ゲートウェイ装置は、発信者番号から送信端末の相手先情報を前記ＩＰ網より取得し、その取得した相手先情報を、着信に先立ち前記アナログ通信端末装置の受信端末へ送信するようにしたことを特徴とする通信システム。
【請求項２】
前記アナログ通信端末装置は、前記ゲートウェイ装置より前記相手先情報を受信するためのデータモデム手段を備えると共に、前記ゲートウェイ装置は、前記アナログ通信端末装置へ前記相手先情報を送信するためのデータモデム手段を備えることを特徴とする請求項１記載の通信システム。
【請求項３】
前記ゲートウェイ装置は、ＥＮＵＭ機能を利用して、着信に先立ち前記発信者番号から前記ＩＰ網の登録サーバよりＵＲＩを取得し、その取得した該ＵＲＩを前記相手先情報として前記アナログ通信端末へ送信するようにしたことを特徴とする請求項１または２記載の通信システム。
【請求項４】
前記アナログ通信端末装置は、着信に先立ち前記ゲートウェイ装置より前記ＵＲＩを受信し、そのＵＲＩを解析して当該相手先に対応した通信動作に入ると共に、当該相手先に対応した通信機能を備えていない時は着信前に着信拒否をすることを特徴とする請求項１から３のいずれか１項記載の通信システム。
【請求項５】
アナログ公衆回線網を回線として利用するアナログ通信端末装置をＩＰ網へ接続するゲートウェイ装置において、発信者番号から送信端末の相手先情報を前記ＩＰ網より取得する相手先情報取得手段と、その取得した相手先情報を、着信に先立ち前記アナログ通信端末装置の受信端末へ送信する相手先情報送信手段を備えることを特徴するゲートウェイ装置。
【請求項６】
前記相手先情報取得手段は、ＥＮＵＭ機能を利用して、着信に先立ち前記発信者番号から前記ＩＰ網の登録サーバよりＵＲＩを取得し、前記相手先情報送信手段は、その取得したＵＲＩを第１のシーケンスで送信することを特徴とする請求項５記載のゲートウェイ装置。
【請求項７】
前記第１のシーケンスは、着信にあたり極性を反転し、呼出信号とは異なる信号であるアナログ通信端末起動信号をアナログ通信端末に送出し、該アナログ通信端末から一次応答信号が送出されると前記アナログ通信端末に相手先情報を送信し、前記アナログ通信端末が通信動作に入ってから一定時間内に相手先情報受信完了信号が前記アナログ通信端末から送信されると着信動作である呼出信号を送出し、前記アナログ通信端末から二次応答信号が送信されると極性を復極して通信中とし、前記アナログ通信端末からの終話信号を受けると通信が終了することを特徴とする請求項６記載のゲートウェイ装置。
【請求項８】
ファクシミリ装置や電話機など複数の通信端末と交信可能であり、ＩＰ網へ橋渡しするゲートウェイ装置と接続するアナログ通信端末装置において、着信に先立ち該ゲートウェイ装置より送信端末のＵＲＩを受信する相手先情報受信手段と、その受信したＵＲＩを解析して当該相手先に対応した通信動作に自動的に入ると共に、当該相手先に対応した通信機能を備えていない時は着信前に回線を切断して通信拒否を行う自動通信開始手段を備えることを特徴とするアナログ通信端末装置。
【請求項９】
前記相手先情報受信手段は、前記ＵＲＩを第２のシーケンスで受信することを特徴とする請求項８記載のアナログ通信端末装置。
【請求項１０】
前記第２のシーケンスは、着信にあたりゲートウェイ装置が極性を反転し、該ゲートウェイ装置から呼出信号とは異なる信号であるアナログ通信端末起動信号が送出されると一次応答信号を前記ゲートウェイ装置へ送出し、前記ゲートウェイ装置から相手先情報が送出されるとその相手先情報を解析し、当該相手先に対応した通信機能を備えていない時は終話信号を前記ゲートウェイ装置に送出して通話が終了することを特徴とする請求項９記載のアナログ通信端末装置。
【発明の詳細な説明】
【技術分野】
【０００１】
本発明は、アナログ公衆回線網を回線として利用するアナログ通信端末を、ゲートウェイ装置を介してＩＰ網へ接続する通信システム、アナログ公衆回線網を回線として利用するアナログ通信端末装置をＩＰ網へ接続するゲートウェイ装置、及びファクシミリ装置、電話機など複数の通信端末と交信可能でＩＰ網へ橋渡しするゲートウェイ装置と接続するアナログ通信端末装置に関するものである。
【背景技術】
【０００２】
ＩＰ（Ｉｎｔｅｒｎｅｔ  Ｐｒｏｔｏｃｏｌ）網に用いられる通信接続装置として、発信者番号情報を着信側の端末装置にＣＩＤ通信サービスにより中継する通信接続装置が知られている（例えば、特許文献１参照。）。
また、本出願人により発信者番号通知を利用し回線を接続するか否かを判断するゲートウェイ装置が提案されている（例えば、特許文献２参照。）。
【特許文献１】特開２００３−８７７６号公報
【特許文献２】特開２００１−２２３７５１号公報
【発明の開示】
【発明が解決しようとする課題】
【０００３】
ところで、ＩＰ網を利用したＩＰ電話通信を利用する通信端末は、電話端末以外にもグループ３ファクシミリ装置等、これまでアナログ公衆回線網ＰＳＴＮ（Ｐｕｂｌｉｃ  Ｓｗｉｔｃｈｅｄ  Ｔｅｌｅｐｈｏｎｅ  Ｎｅｔｗｏｒｋ：加入電話網、ＰＯＴＳとも言う。）で用いられてきた通信端末が適用されることが考えられる。そのため、従来のゲートウェイ装置は、発信端末の番号情報を着信端末に伝達する方法あるいは伝達された番号情報を利用し、着信端末の機能を付加したものであり、その番号情報だけでは簡単に発信端末の端末種別を知ることができなく、着信応答して初めて自端末と相手端末の通信機能が相違するために通信できないという事態が生じ、さらに発信側は課金だけはされてしまうという問題があった。
【０００４】
また、上述した従来のゲートウェイ装置は簡単に相手先情報を取得することができないという問題があった。
さらに、アナログ通信端末装置がゲートウェイ装置から相手先情報を受信するために、新たな制御（シーケンス）が必要になるという煩雑さがあった。
そこで、本発明の主な目的は、適切な通信を行うことができ、副次的な目的は、ゲートウェイ装置が簡単に相手先情報を取得することができ、さらに副次的な目的は、新たな制御を用いずにアナログ通信端末装置がゲートウェイ装置から相手先情報を受信することができる通信システム、それに用いるゲートウェイ装置、及びアナログ通信端末装置を提供することにある。
【課題を解決するための手段】
【０００５】
請求項１記載の発明は、アナログ公衆回線網を回線として利用するアナログ通信端末装置を、ゲートウェイ装置を介してＩＰ網へ接続する通信システムにおいて、ゲートウェイ装置は、発信者番号から送信端末の相手先情報をＩＰ網より取得し、その取得した相手先情報を、着信に先立ちアナログ通信端末装置の受信端末へ送信するようにしたことを特徴とする。
【０００６】
請求項２記載の発明は、請求項１記載の発明において、アナログ通信端末装置は、ゲートウェイ装置より相手先情報を受信するためのデータモデム手段を備えると共に、ゲートウェイ装置は、アナログ通信端末装置へ相手先情報を送信するためのデータモデム手段を備えることを特徴とする。
【０００７】
請求項３記載の発明は、請求項１または２記載の発明において、ゲートウェイ装置は、ＥＮＵＭ機能を利用して、着信に先立ち発信者番号からＩＰ網の登録サーバよりＵＲＩを取得し、その取得したＵＲＩを相手先情報としてアナログ通信端末へ送信するようにしたことを特徴とする。
【０００８】
請求項４記載の発明は、請求項１から３のいずれか１項記載の発明において、アナログ通信端末装置は、着信に先立ちゲートウェイ装置よりＵＲＩを受信し、そのＵＲＩを解析して相手先に対応した通信動作に入ると共に、相手先に対応した通信機能を備えていない時は着信前に着信拒否をすることを特徴とする。
【０００９】
請求項５記載の発明は、アナログ公衆回線網を回線として利用するアナログ通信端末装置をＩＰ網へ接続するゲートウェイ装置において、発信者番号から送信端末の相手先情報をＩＰ網より取得する相手先情報取得手段と、その取得した相手先情報を、着信に先立ちアナログ通信端末装置の受信端末へ送信する相手先情報送信手段を備えることを特徴する。
【００１０】
請求項６記載の発明は、請求項５記載の発明において、相手先情報取得手段は、ＥＮＵＭ機能を利用して、着信に先立ち発信者番号からＩＰ網の登録サーバよりＵＲＩを取得し、相手先情報送信手段は、その取得したＵＲＩを第１のシーケンスで送信することを特徴とする。
【００１１】
請求項７記載の発明は、請求項６記載の発明において、第１のシーケンスは、着信にあたり極性を反転し、呼出信号とは異なる信号であるアナログ通信端末起動信号をアナログ通信端末に送出し、アナログ通信端末から一次応答信号が送出されるとアナログ通信端末に相手先情報を送信し、アナログ通信端末が通信動作に入ってから一定時間内に相手先情報受信完了信号がアナログ通信端末から送信されると着信動作である呼出信号を送出し、アナログ通信端末から二次応答信号が送信されると極性を復極して通信中とし、アナログ通信端末からの終話信号を受けると通信が終了することを特徴とする。
【００１２】
請求項８記載の発明は、ファクシミリ装置や電話機など複数の通信端末と交信可能であり、ＩＰ網へ橋渡しするゲートウェイ装置と接続するアナログ通信端末装置において、着信に先立ちゲートウェイ装置より送信端末のＵＲＩを受信する相手先情報受信手段と、その受信したＵＲＩを解析して相手先に対応した通信動作に自動的に入ると共に、相手先に対応した通信機能を備えていない時は着信前に回線を切断して通信拒否を行う自動通信開始手段を備えることを特徴とする。
【００１３】
請求項９記載の発明は、請求項８記載の発明において、相手先情報受信手段は、ＵＲＩを第２のシーケンスで受信することを特徴とする。
【００１４】
請求項１０記載の発明は、請求項９記載の発明において、第２のシーケンスは、着信にあたりゲートウェイ装置が極性を反転し、ゲートウェイ装置から呼出信号とは異なる信号であるアナログ通信端末起動信号が送出されると一次応答信号をゲートウェイ装置へ送出し、ゲートウェイ装置から相手先情報が送出されるとその相手先情報を解析し、当該相手先に対応した通信機能を備えていない時は終話信号を前記ゲートウェイ装置に送出して通話が終了することを特徴とする。
【発明の効果】
【００１５】
本発明によれば、ゲートウェイ装置は、相手先情報を送信すると、アナログ電話機その相手先情報を解析し、相手先が何であるかを判断し、アナログ電話機はその相手先情報を解析し、相手先が何であるのかを判断するので、適切な通信を行うことができ、ゲートウェイ装置が簡単に相手先情報を取得することができ、新たな制御を用いずにアナログ通信端末装置がゲートウェイ装置から相手先情報を受信することができる通信システム、それに用いるゲートウェイ装置、及びアナログ通信端末装置の提供を実現することができる。
【発明を実施するための最良の形態】
【００１６】
図１は、本発明にかかる通信システムの一実施の形態を示す概念図である。
同図において、ゲートウェイ装置ＧＷ１、ＧＷ２は、アナログ公衆回線用のアナログ電話機ＴＬ１、ＴＬ２をＩＰ網ＮＴへ接続して、ＶｏＩＰ（Ｖｏｉｃｅｏｖｅｒ  Ｉｎｔｅｒｎｅｔ  Ｐｒｏｔｏｃｏｌ）による音声通信を行うためのものであり、ＩＴＵ−Ｔ勧告Ｈ．３２３や、ＩＥＴＦのＳＩＰが、通信プロトコルとして適用される。
【００１７】
また、ＩＰ網ＮＴは、「ＩＰネットワーク技術に関する研究会  報告書」（平成１４年２月  総務省  http://www.soumu.go.jp/5-news/2002/020222 3.htmle02を参照）にまとめられている通信機能等を備えたものであり、例えば、ＥＮＵＭ機能により、電話番号を参照して対応するユーザの通信情報（端末種別等の識別情報を含む）の検索サービスを提供する。
【００１８】
ここで、ＥＮＵＭ機能とは、いわゆる電話番号（＝Ｅ  １６４番号（ＩＴＵ−Ｔ勧告Ｅ  １６４で規定される国際公衆電気通信番号））をドメイン名（Ｆｕｌｌｙ  Ｑｕａｌｉｆｉｅｄ  Ｄｏｍａｉｎ  Ｎａｍｅ）に変換し、ＤＮＳ（Ｄｏｍａｉｎ  Ｎａｍｅ  Ｓｙｓｔｅｍ）を利用して端末の情報（ＵＲＩ＝（Ｕｎｉｆｏｒｍ  Ｒｅｓｏｕｒｃｅ  Ｉｄｅｎｔｉｆｉｅｒｓ；ＲＦＣ２３９６等を参照））を検索できるようにした機能である。
図２は、図１に示した通信システムに用いられるゲートウェイ装置ＧＷ（ＧＷ１、ＧＷ２）の一例を示す構成図である。
【００１９】
図２において、ＣＰＵ（中央処理装置）１は、このゲートウェイ装置ＧＷの動作制御を行うものであり、ＲＯＭ（リード・オンリ・メモリ）２は、ＣＰＵ１が起動時に実行するプログラムや必要なデータ等を記憶するためのものであり、ＲＡＭ（ランダム・アクセス・メモリ）３は、ＣＰＵ１のワークエリア等を構成するためのものである。
キャラクタジェネレータ４は、図形文字の表示データを発生するためのものであり、時計回路５は、現在日時情報を出力するためのものであり、ＩＰ網Ｉ／Ｆ（インターフェース）回路６は、このゲートウェイ装置ＧＷをＩＰ網ＮＴ（図１参照。）に接続するためのものである。
【００２０】
アナログ電話機インターフェース回路７は、このゲートウェイ装置ＧＷへアナログ電話機ＴＬ（ＴＬ１、ＴＬ２、図１参照。）を接続するためのものであり、アナログ電話機ＴＬに対して、擬似的なアナログ回線網機能（電源供給等）を提供する機能や、アナログ電話機ＴＬとの間でやりとりするアナログ信号を、所定フォーマットのデジタル信号へ相互変換するコーデック機能や、アナログ電話機ＴＬより受信するＤＴＭＦ（Ｄｕａｌ  Ｔｏｎｅ  Ｍｕｌｔｉ  Ｆｒｅｑｕｅｎｃｙ）信号の復調機能等も備えている。
データモデム８は、アナログ電話機ＴＬとの間でデータのやりとりを行うためのものであり、例えば、アナログ公衆回線網でサービスされる発信者番号通知機能で適用するデータモデムと同様なモデム機能を備えている。
【００２１】
操作表示部９は、このゲートウェイ装置ＧＷを操作するためのものであり、適宜な操作キー群（図示略）及び表示器（図示略）を備えている。
磁気ディスク装置１０は、このゲートウェイ装置ＧＷが実行する種々のプログラム等の種々のデータを記憶するためのものである。
これらのＣＰＵ１、ＲＯＭ２、ＲＡＭ３、キャラクタジェネレータ４、時計回路５、ＩＰ網インターフェース回路６、アナログ電話機インターフェース回路７、データモデム８、操作表示部９、及び、磁気ディスク装置１０は、バス１１に接続されており、これらの各要素間のデータのやりとりは、主としてこのバス１１を介して行われる。
【００２２】
データモデム８とアナログ電話機インターフェース回路７との間のデータのやりとりは、直接行われる。
ＩＰ網インターフェース回路７は、ＩＰ網ＮＴへのデータのパケット化、アドレス処理、衝突の回避や監視の機能（ＯＳＩ参照モデルで言うところのデータリンク層）、物理的・電気的な規約に則したＩＰ網ＮＴに対するインターフェース機能（パルストランス等を含む：ＯＳＩ参照モデルでいうところのフィジカル層）等を備える。
【００２３】
ＵＤＰ・ＴＣＰ（Ｕｓｅｒ  Ｄａｔａｇｒａｍ  Ｐｒｏｔｏｃｏｌ・Ｔｒａｎｓｍｉｓｓｉｏｎ  Ｃｏｎｔｒｏｌ  Ｐｒｏｔｏｃｏｌ）／ＩＰ、ＩＰ網上でリアルタイムに音声を送受信させるためのＲＴＰ（Ｒｅａｌ−ｔｉｍｅ  Ｔｒａｎｓｐｏｒｔ  Ｐｒｏｔｏｃｏｌ）等の上位プロトコルはＣＰＵ１が実行する。また、ＩＰ網ＮＴの音声における呼制御／プロトコルとしてはＩＴＵ−Ｔ標準のＨ．３２３．ＩＥＴＦ既定のＳＩＰ等があり、これらについてもＣＰＵ１が処理する。
図３は、図１に示した通信システムに用いられるアナログ通信端末装置の一つであるアナログ電話機ＴＬ（ＴＬ１、ＴＬ２）の一例を示す構成図である。
【００２４】
図３において、ＣＰＵ（中央処理装置）２１は、このアナログ電話機ＴＬの動作制御を行うものであり、ＲＯＭ（リード・オンリ・メモリ）２２は、ＣＰＵ２１が起動時に実行するプログラムや必要なデータ等を記憶するためのものであり、ＲＡＭ（ランダム・アクセス・メモリ）２３は、ＣＰＵ２１のワークエリア等を構成するためのものである。
キャラクタジェネレータ２４は、図形文字の表示データを発生するためのものであり、時計回路２５は、現在日時情報を出力するためのものであり、網制御装置２６は、このアナログ電話機ＴＬをゲートウェイ装置ＧＷに接続するためのものである。また、網制御装置２６は、選択信号としてＤＴＭＦ信号を送出する機能も備えている。
【００２５】
データモデム２７は、ゲートウェイ装置ＧＷとの間でデータのやりとりを行うためのものであり、例えば、アナログ公衆回線網でサービスされる発信者番号通知機能で適用するデータモデムと同様なモデム機能を備えている。
操作表示部２８は、このアナログ電話機ＴＬを操作するためのものであり、テンキー等の適宜な操作キー群（図示略）及び表示器（図示略）を備えている。
通話ユニット２９は、音声入出力するための音声入出力部３０を接続すると共に、オンオフフック検出等を行うためのものである。
【００２６】
これらのＣＰＵ２１、ＲＯＭ２２、ＲＡＭ２３、キャラクタジェネレータ２４、時計回路２５、網制御装置２６、データモデム２７、操作表示部２８、及び、通話ユニット２９は、バス３１を介して行われる。
また、データモデム２７と網制御装置２６との間のデータのやりとりは、直接行われる。
図４は、図１に示したゲートウェイ装置が、ＥＮＵＭ機能により着信に先立ち発信者番号からＵＲＩの登録サーバに問い合わせてＵＲＩを取得し、その取得したＵＲＩをアナログ電話機に送る手順を示したものである。
【００２７】
まず、（１）で発信側のアナログ通信端末である電話機ＴＬ１をオフフックし該当相手先の識別番号（０１０−８１−３−１２３４−５６７８）をダイヤルすると、ダイヤルされた識別番号からゲートウェイ装置ＧＷ１に接続する。
次に、（２）でゲートウェイ装置ＧＷ１はＥＮＵＭ機能より下位ドメインから識別番号を反対に並べＩＴＵ−Ｔ勧告のＥ１６４規定のフォーマットに変換し登録サーバのＤＮＳを検索する。
【００２８】
（３）でＤＮＳサーバはドメイン名をあらかじめ着信側が登録したユーザＵＲＩに変換しゲートウェイ装置ＧＷ１に返送する。
（４）でゲートウェイ装置ＧＷ１は取得したユーザＵＲＩを基に適切なゲートウェイのＩＰアドレスとポート番号を取得する。
【００２９】
（５）でゲートウェイ装置ＧＷ１は取得されたＩＰアドレスに従って対応するゲートウェイ装置ＧＷ２へルーチングすると共に、発信者番号（０１０−８１−３−１１１１−２２２２）を送信する。
（６）で受信した発信者番号をこれまたＥ１６４規定のフォーマットに変換し登録サーバのＤＮＳを検索する。
【００３０】
（７）でＤＮＳサーバはドメイン名をあらかじめ発信側が登録したユーザＵＲＩに変換しゲートウェイ装置ＧＷ２に返送する。
最後に、（８）でゲートウェイ装置ＧＷ２は着信に先立ち識別番号から該当電話機ＴＬ２に発信者番号を電話機ＴＬ２に送信しルーチングする。
図５は、図１に示したアナログ電話機ＴＬ２が着信する際の通話シーケンスの一例である。
【００３１】
同図に示す場合は、通信が成立する場合のシーケンス（第１のシーケンス）である。
まず、着信にあたりゲートウェイ装置２が極性を反転し、続いて呼出信号とは異なる信号（例えば０．５秒オン／０．５秒オフのカデンス）であるアナログ通信端末起動信号を送出すると、アナログ電話機ＴＬ２は一次応答信号（直流ループ断）を返し、相手先情報の受信待ちとなる。
ゲートウェイ装置ＧＷ２は、相手先情報（例えばＵＲＩ情報等）をデータモデムにより送信すると、アナログ電話機ＴＬ２はその相手先情報を解析し、例えば相手先が電話機であるか、ファクシミリであるか、あるいはパソコンＰＣであるか等を判断する（例えば、ＵＲＩ情報がtel:+813111222であれば電話機であると判断する）。
【００３２】
そして、例えば相手先が電話機付きファクシミリ装置であればそれに当該相手先に対応した通信動作に入る（ここでは、相手先が電話機であると判断し電話機で通信動作に入ることになる）。
次に、当該相手先に対応した通信動作に入ることが可能な場合は、相手先情報受信完了信号（直流ループ断）を一定時間内に返す。
それを受けたゲートウェイ装置ＧＷ２は、本来の着信動作である呼出信号（例えば１秒オン／２秒オフのカデンス）を送出する。
【００３３】
そして、呼び出された着信者はアナログ電話機ＴＬ２の受話器を上げてオフフックすることで、二次応答信号（直流ループ）を返す。
その後、極性復極し、通信中となる。通信終了時は、着信者がアナログ電話機ＴＬ２の受話器を置いてオンフックすることで、終話信号（直流ループ断）となる。本シーケンスは、発信者番号情報が相手先情報に変わる他は、例えば、ＮＴＴ（日本電信電話株式会社）の発信者番号通知サービスと同じである。
図６は、図１に示したアナログ電話機ＴＬ２が着信する際の通話シーケンスの一例で、通信拒否を行った場合である（第２のシーケンス）。
【００３４】
一次応答信号（直流ループ）を返すまでは図４に示したシーケンスと同じである。ゲートウェイ装置ＧＷ２は、相手先情報（例えばＵＲＩ情報等）をデータモデムにより送信すると、アナログ電話機ＴＬ２はその相手先情報を解析し、例えば相手先が電話機かファクシミリかＰＣか等を判断する（例えば、ＵＲＩ情報がh.323:fax@ricoh.co.jpであればファクシミリであると判断）。
そして、例えばアナログ通信端末装置が電話機の場合はファクシミリ装置で受けることはできないため、ある一定時間後に終話信号（直流ループ断）を返し終了となる。この場合、二次応答信号（直流ループ）を返していないため、発信側は課金されずに済む。
図７は、図１に示したアナログ電話機ＴＬ２が着信する際のゲートウェイ装置ＧＷ２の処理の一例を示している。
【００３５】
まず、ステップＳ１０にてＩＰ網よりルーチングの合図を受けると、ステップＳ１１にてそのルーチング先のゲートウェイ装置ＧＷ１より電話機ＴＬ１の発信者番号を取得する。
ステップＳ１２よりその発信者番号を基に（ＥＮＵＭではＥ１６４にフォーマットに変換）相手先情報が予め登録されているＤＮＳを検索する。
ステップＳ１３よりそのＤＮＳから電話機ＴＬ１の相手先情報を取得する。
ここまでは、ＩＰ網とのやり取りである。ここからは、アナログ回線に対するやり取りとなる。
ステップＳ１４にてアナログ回線の極性を反転し、ステップＳ１５にてアナログ通信端末起動信号（例えば０．５秒オン／０．５秒オフのカデンス）を送出する。
【００３６】
ここで、ステップＳ１６にてアナログ電話機ＴＬ２からの一次応答信号（直流ループ）の待ちとなり、その信号を検出すると、ステップＳ１７にてステップＳ１３で取得した相手先情報をアナログ電話機ＴＬ２にデータモデムより送信する。
その後、ステップＳ１８にてタイマをカウントし、ステップＳ１９にて一定時間経過（例えば相手先情報を送信してから７秒以降）したならば、ステップＳ２６に進みアナログ回線を解放（直流ループ断）すると共に、ＩＰ網にルーチング解除の合図を送出し終了となる。
一方、一定時間内にステップＳ２０にて直流ループ断を検出すると、アナログ電話機ＴＬ２からの相手先情報受信完了信号と判断し、ステップＳ２１にて呼出信号（例えば１秒オン／２秒オフのカデンス）を送出する。
【００３７】
ここで、ステップＳ２２にてアナログ電話機ＴＬ２からの二次応答信号（直流ループ）の待ちとなり、その信号を検出すると、ステップＳ２３にてアナログ回線の極性を復極し、通信が始まる。
その後、ステップＳ２５にてアナログ電話機ＴＬ２からの終話信号（直流ループ断）を検出し終了となる。
なお、ここでステップＳ３０とステップＳ３８とはＮＴＴ発信者番号通知サービスの一般公衆回線網では必要なステップであるが、ここでは特に必要ないので、アナログ電話機ＴＬ２が動作上問題なければ省略しても構わない。
図８は、図１に示したアナログ電話機ＴＬ２が着信する際のアナログ電話機ＴＬ２の処理の一例を示している。
【００３８】
まず、ステップＳ３０にてゲートウェイ装置ＧＷ２よりアナログ回線を介して極性反転を検出すると、ステップＳ３１にてゲートウェイ装置ＧＷ２からのアナログ通信端末起動信号の検出待ちとなり、その信号を検出すると、ステップＳ３２にて一次応答信号（直流ループ）をゲートウェイ装置ＧＷ２に返す。
次に、ステップＳ３３にてゲートウェイ装置ＧＷ２からの相手先情報の受信待ちとなり、その情報をデータモデムより受信すると、ステップＳ３４にてその相手先情報を解析し、自機能に対応した当該相手先であるか判断する。
【００３９】
ここで、ステップＳ３５にて自機能に対応した当該相手先でないと判断すると、通信できないため、ステップＳ４２にて一定時間後に終話信号（直流ループ断）を送出して着信を拒否し終了となる。
一方、自機能に対応した当該相手先であると判断すると、ステップＳ３６にてゲートウェイ装置ＧＷ２へ一定時間内に相手先情報受信完了信号（直流ループ断）を送出する。
【００４０】
その後、ステップＳ３７にてゲートウェイ装置ＧＷ２からの呼出信号の検出待ちとなり、その信号を検出すると、ステップＳ３８にて二次応答信号（直流ループ）をゲートウェイ装置ＧＷ２に返す。
次に、ステップＳ３９にてゲートウェイ装置ＧＷ２よりアナログ回線を介して極性復極を検出し、通信が始まる。
その後、通信が終了したならば、ステップＳ４１にてゲートウェイ装置ＧＷ２に終了合図である終話信号（直流ループ断）を送出し終了となる。なお、図７の説明で述べた通り、ステップＳ３０、Ｓ３９は省略しても構わない。
【００４１】
（請求項１〜１０の効果）
本実施の形態によれば、ゲートウェイ装置は、送られてくる発信者番号に対応した送信端末の相手先情報をＩＰ網より取得し、その取得した相手先情報を着信に先立ち受信端末であるアナログ通信端末装置へ送信することにより、受信端末のアナログ通信端末装置は、応答前に通信の可能性を判断することができ、その結果、適切な通信を行うことができる効果がある。あるいは、適切な通信を行うことができないと判断された場合には、回線の確立前に着信拒否することができ課金されずに済む効果がある。
【００４２】
（請求項３、６、７の効果）
本実施の形態によれば、ＥＮＵＭ機能を利用することにより、着信に先立ち発信者番号からＩＰ網の登録サーバよりＵＲＩを取得することができ、ゲートウェイ装置が簡単に相手先情報を取得することができる効果がある。
【００４３】
（請求項６、９、１０の効果）
本実施の形態によれば、アナログ通信端末装置がゲートウェイ装置から相手先情報を受信するのにＮＴＴ発信者番号通知サービスと同じシーケンスを利用することにより、ＮＴＴ発信者番号通知サービス対応のアナログ通信端末装置であれば、新たな制御を用いることなく簡単に相手先情報を得ることができる効果がある。
【図面の簡単な説明】
【００４４】
【図１】本発明にかかる通信システムの一実施の形態を示す概念図である。
【図２】図１に示した通信システムに用いられるゲートウェイ装置ＧＷ（ＧＷ１、ＧＷ２）の一例を示す構成図である。
【図３】図１に示した通信システムに用いられるアナログ通信端末装置の一つであるアナログ電話機ＴＬ（ＴＬ１、ＴＬ２）の一例を示す構成図である
【図４】図１に示したゲートウェイ装置が、ＥＮＵＭ機能により着信に先立ち発信者番号からＵＲＩの登録サーバに問い合わせてＵＲＩを取得し、その取得したＵＲＩをアナログ電話機に送る手順を示したものである。
【図５】図１に示したアナログ電話機ＴＬ２が着信する際の通話シーケンスの一例である。
【図６】図１に示したアナログ電話機ＴＬ２が着信する際の通話シーケンスの一例で、通信拒否を行った場合である。
【図７】図１に示したアナログ電話機ＴＬ２が着信する際のゲートウェイ装置ＧＷ２の処理の一例を示している。
【図８】図１に示したアナログ電話機ＴＬ２が着信する際のアナログ電話機ＴＬ２の処理の一例を示している。
【符号の説明】
【００４５】
１    ＣＰＵ
２    ＲＯＭ
３    ＲＡＭ
４    キャラクタジェネレータ
５    時計回路
６    ＩＰ網Ｉ／Ｆ（インターフェース）
７    アナログ電話機Ｉ／Ｆ
８    データモデム
９    操作表示部
１０    磁気ディスク装置
１１    バス
【図１】
2005086636.tif 000003
【図２】
2005086636.tif 000004
【図３】
2005086636.tif 000005
【図４】
2005086636.tif 000006
【図５】
2005086636.tif 000007
【図６】
2005086636.tif 000008
【図７】
2005086636.tif 000009
【図８】
2005086636.tif 000010